(57)【特許請求の範囲】
【請求項１】
物体側より像側へ順に、正の屈折力の第１レンズ群、負の屈折力の第２レンズ群、正の屈折力の第３レンズ群、正の屈折力の第４レンズ群を有し、ズーミングに際して該第２、第４レンズ群が移動するズームレンズであって、
前記第１レンズ群は、物体側より像側へ順に、負の屈折力の第１ａレンズ群、正の屈折力の第１ｂレンズ群により構成されており、
前記第１ａレンズ群は、像側が凹面の２枚以上の負レンズ、１枚以上の正レンズにより構成されており、
前記第１ｂレンズ群は、３枚以上の正レンズと、１枚以上の負レンズ、又は、２枚以上の正レンズと、負レンズと正レンズより成る接合レンズにより構成されており、
前記第１ａレンズ群と前記第１レンズ群の焦点距離を各々ｆ１ａ、ｆ１、前記第１ｂレンズ群の負レンズの物体側の面の曲率半径をＲ１ｂＦとするとき、
２．２８≦｜ｆ１ａ／ｆ１｜＜４．００
−０．０９０＜ｆ１／Ｒ１ｂＦ≦０．００３
なる条件式を満足することを特徴とするズームレンズ。
【請求項２】
物体側より像側へ順に、正の屈折力の第１レンズ群、負の屈折力の第２レンズ群、正の屈折力の第３レンズ群、正の屈折力の第４レンズ群を有し、ズーミングに際して該第２、第４レンズ群が移動するズームレンズであって、
前記第１レンズ群は、物体側より像側へ順に、負の屈折力の第１ａレンズ群、正の屈折力の第１ｂレンズ群より構成されており、
前記第１ａレンズ群は、像側が凹面の２枚の負レンズ、像側の屈折力の絶対値が物体側の屈折力の絶対値よりも大きい両凸形状の正レンズより構成されており、
前記第１ｂレンズ群は、両凸形状の正レンズ、負レンズ又は負レンズと正レンズより成る接合レンズ、最も像側に、物体側の屈折力の絶対値が像側の屈折力の絶対値よりも大きい物体側が凸面の正レンズを有しており、
前記第１ａレンズ群と前記第１レンズ群の焦点距離を各々ｆ１ａ、ｆ１、前記第１ｂレンズ群の負レンズの物体側の面の曲率半径をＲ１ｂＦとするとき、
２．２８≦｜ｆ１ａ／ｆ１｜＜４．００
−０．０９０＜ｆ１／Ｒ１ｂＦ≦０．００３
なる条件式を満足することを特徴とするズームレンズ。
【請求項３】
物体側より像側へ順に、正の屈折力の第１レンズ群、負の屈折力の第２レンズ群、正の屈折力の第３レンズ群、正の屈折力の第４レンズ群を有し、ズーミングに際して該第２、第４レンズ群が移動するズームレンズであって、
前記第１レンズ群は、物体側より像側へ順に、負の屈折力の第１ａレンズ群、正の屈折力の第１ｂレンズ群より構成されており、
前記第１ａレンズ群は、像側が凹面の２枚の負レンズ、像側の屈折力の絶対値が物体側の屈折力の絶対値よりも大きい両凸形状の正レンズより構成されており、
前記第１ｂレンズ群は、両凸形状の正レンズ、像側が凹面の負レンズ又は像側が凹面の負レンズと正レンズとの接合レンズ、物体側が凸面の２つの正レンズより構成されており、
前記第１ａレンズ群と前記第１レンズ群の焦点距離を各々ｆ１ａ、ｆ１、前記第１ｂレンズ群の負レンズの物体側の面の曲率半径をＲ１ｂＦとするとき、
２．２８≦｜ｆ１ａ／ｆ１｜＜４．０
−０．０９＜ｆ１／Ｒ１ｂＦ≦０．００３
なる条件式を満足することを特徴とするズームレンズ。
【請求項４】
広角端における前記第１レンズ群と前記第２レンズ群の主点間隔をＨ１２ｗ、広角端における全系の焦点距離をｆｗとするとき、
−７．７＜Ｈ１２ｗ／ｆｗ＜−３．５
なる条件を満足することを特徴とする請求項１乃至３のいずれか１項に記載のズームレンズ。
【請求項５】
前記第２レンズ群の焦点距離をｆ２、広角端における全系の焦点距離をｆｗ、広角端における全系のＦナンバーをＦｎｏｗ、広角端において最も像側のレンズ面から像面までの距離の空気換算量をＢＦとするとき、
２．８＜｜ｆ２／ｆｗ｜＜５．２
６．４＜ＢＦ×√Ｆｎｏｗ／ｆｗ＜１５．０
なる条件を満足することを特徴とする請求項１乃至４のいずれか１項に記載のズームレンズ。
【請求項６】
前記第３レンズ群は少なくとも１つの空気間隔を挟んで複数のレンズを有し、該少なくとも１つの空気間隔の光軸方向の長さをＤ３ａ、前記第３レンズ群の焦点距離をｆ３とするとき、
０．０１＜Ｄ３ａ／ｆ３＜０．１
なる条件を満足することを特徴とする請求項１乃至５のいずれか１項に記載のズームレンズ。
【請求項７】
前記第１ｂレンズ群は最も物体側に両凸形状の正レンズを有し、前記第１ａレンズ群の最も物体側に配置されたレンズから前記第１ｂレンズ群の前記両凸形状の正レンズまでの合成系の焦点距離をｆ１ＦＦとするとき、
０．０２＜ｆ１／ｆ１ＦＦ＜０．８３
なる条件を満足することを特徴とする請求項１乃至６のいずれか１項に記載のズームレンズ。
【請求項８】
固体撮像素子に像を形成することを特徴とする請求項１乃至７のいずれか１項に記載のズームレンズ。
【請求項９】
請求項１乃至８のいずれか１項に記載のズームレンズと、該ズームレンズによって、形成された像を受光する固体撮像素子を有していることを特徴とする撮影装置。
【発明の詳細な説明】
【技術分野】
【０００１】
本発明は、ズームレンズ及びそれを用いた撮像装置に関し、ビデオカメラやデジタルスチルカメラ等の電子カメラ、フィルム用カメラそして放送用カメラ等に好適に用いられるものである。
【背景技術】
【０００２】
最近、固体撮像素子を用いたビデオカメラ、デジタルスチルカメラ、監視用カメラ等の撮像装置（カメラ）には、高機能であること、そしてカメラ全体が小型であることが要望されている。
【０００３】
そしてそれに伴い、これらのカメラに用いる光学系（撮像光学系）には、小型で広画角で、しかも高い光学性能を有するズームレンズであることが求められている。
【０００４】
又、プリズムやフィルター等の色分解光学系を用いた撮像装置では、像側にこれらの色分解光学系を配置する。このためこれらに用いるズームレンズには、色分解光学系の光路長に相当する長さのバックフォーカスを有することが求められている。
【０００５】
これらの要求を満足するズームレンズとして物体側より像側へ順に正、負、正、正の屈折力の第１〜第４レンズ群より成る４群ズームレンズが知られている。
【０００６】
このうち、第２レンズ群を移動させて変倍を行い、第４レンズ群にて変倍に伴う像面変動を補正すると共に、フォーカシングを行う所謂リアフォーカス式の４群ズームレンズが知られている。
【０００７】
そして、このリアフォーカス式の４群ズームレンズにおいて、第１レンズ群を物体側から像側へ順に負の屈折力の前群と正の屈折力の後群より構成し、広画角を図ったズームレンズが種々と提案されている（特許文献１、２）。
【０００８】
この他、前述した要件を満足するズームレンズとして、物体側から像側へ順に正、負、正、正、正の屈折力の第１〜第５レンズ群より成る５群ズームレンズが知られている。
【０００９】
この５群ズームレンズにおいて、第２レンズ群と第４レンズ群を移動させてズーミングを行い第４レンズ群を移動させてフォーカスを行う比較的広画角なズームレンズが知られている（特許文献３、４）。
【先行技術文献】
【特許文献】
【００１０】
【特許文献１】特開平１１−２８７９５２号公報
【特許文献２】特開平１１−２８７９５４号公報
【特許文献３】特開平０９−０９０２２１号公報
【特許文献４】特開２００２−３６５５３９号公報
【発明の概要】
【発明が解決しようとする課題】
【００１１】
ズームレンズにおいてリアフォーカス方式を採用すると、第１レンズ群でフォーカスを行うズームレンズに比べてレンズ系全体が小型化され、迅速なるフォーカスが可能となり、さらに近接撮影が容易となるなどの特徴が得られる。
【００１２】
しかしながら反面、フォーカスの際の収差変動が多くなってくる。
【００１３】
又、広画角化及び高ズーム比化を図ろうとすると全ズーム範囲にわたり、高い光学性能を得るのが難しくなってくる。
【００１４】
このためリアフォーカス式のズームレンズにおいて、広画角化及び高ズーム比化を図りつつ、全ズーム領域において高い光学性能を得るには、各レンズ群のレンズ構成、特に第１レンズ群のレンズ構成を適切に設定する必要がある。
【００１５】
更に、色分解光学系を像側に配置するだけの長さのバックフォーカスを得るには、各レンズ群の屈折力配置及びレンズ構成を適切に設定する必要がある。
【００１６】
特に前述したズームタイプの４群ズームレンズや５群ズームレンズにおいて第１レンズ群のレンズ構成を適切に設定しないと、広画角化及び高ズーム比化を図る際に、画面全体及び全ズーム範囲にわたり良好な光学性能を得ることが大変難しくなってくる。
【００１７】
本発明は、広画角、高ズーム比で、しかも全ズーム範囲にわたり高い光学性能が得られるズームレンズ及びそれを有する撮像装置の提供を目的とする。
【課題を解決するための手段】
【００１８】
本発明のズームレンズは、物体側より像側へ順に、正の屈折力の第１レンズ群、負の屈折力の第２レンズ群、正の屈折力の第３レンズ群、正の屈折力の第４レンズ群を有し、ズーミングに際して該第２、第４レンズ群が移動するズームレンズであって、
前記第１レンズ群は、物体側より像側へ順に、負の屈折力の第１ａレンズ群、正の屈折力の第１ｂレンズ群により構成されており、
前記第１ａレンズ群は、像側が凹面の２枚以上の負レンズ、１枚以上の正レンズにより構成されており、
前記第１ｂレンズ群は、３枚以上の正レンズと、１枚以上の負レンズ、又は、２枚以上の正レンズと、負レンズと正レンズより成る接合レンズにより構成されており、
前記第１ａレンズ群と前記第１レンズ群の焦点距離を各々ｆ１ａ、ｆ１、前記第１ｂレンズ群の負レンズの物体側の面の曲率半径をＲ１ｂＦとするとき、
２．２８≦｜ｆ１ａ／ｆ１｜＜４．００
−０．０９０＜ｆ１／Ｒ１ｂＦ≦０．００３
なる条件式を満足することを特徴としている。
この他、本発明のズームレンズは、物体側より像側へ順に、正の屈折力の第１レンズ群、負の屈折力の第２レンズ群、正の屈折力の第３レンズ群、正の屈折力の第４レンズ群を有し、ズーミングに際して該第２、第４レンズ群が移動するズームレンズであって、
前記第１レンズ群は、物体側より像側へ順に、負の屈折力の第１ａレンズ群、正の屈折力の第１ｂレンズ群より構成されており、
前記第１ａレンズ群は、像側が凹面の２枚の負レンズ、像側の屈折力の絶対値が物体側の屈折力の絶対値よりも大きい両凸形状の正レンズより構成されており、
前記第１ｂレンズ群は、両凸形状の正レンズ、負レンズ又は負レンズと正レンズより成る接合レンズ、最も像側に、物体側の屈折力の絶対値が像側の屈折力の絶対値よりも大きい物体側が凸面の正レンズを有しており、
前記第１ａレンズ群と前記第１レンズ群の焦点距離を各々ｆ１ａ、ｆ１、前記第１ｂレンズ群の負レンズの物体側の面の曲率半径をＲ１ｂＦとするとき、
２．２８≦｜ｆ１ａ／ｆ１｜＜４．００
−０．０９０＜ｆ１／Ｒ１ｂＦ≦０．００３
なる条件式を満足することを特徴としている。
この他、本発明のズームレンズは、物体側より像側へ順に、正の屈折力の第１レンズ群、負の屈折力の第２レンズ群、正の屈折力の第３レンズ群、正の屈折力の第４レンズ群を有し、ズーミングに際して該第２、第４レンズ群が移動するズームレンズであって、
前記第１レンズ群は、物体側より像側へ順に、負の屈折力の第１ａレンズ群、正の屈折力の第１ｂレンズ群より構成されており、
前記第１ａレンズ群は、像側が凹面の２枚の負レンズ、像側の屈折力の絶対値が物体側の屈折力の絶対値よりも大きい両凸形状の正レンズより構成されており、
前記第１ｂレンズ群は、両凸形状の正レンズ、像側が凹面の負レンズ又は像側が凹面の負レンズと正レンズとの接合レンズ、物体側が凸面の２つの正レンズより構成されており、
前記第１ａレンズ群と前記第１レンズ群の焦点距離を各々ｆ１ａ、ｆ１、前記第１ｂレンズ群の負レンズの物体側の面の曲率半径をＲ１ｂＦとするとき、
２．２８≦｜ｆ１ａ／ｆ１｜＜４．０
−０．０９＜ｆ１／Ｒ１ｂＦ≦０．００３
なる条件式を満足することを特徴としている。
【発明の効果】
【００１９】
本発明によれば前述の如く、レンズ構成を特定することにより、広画角、高ズーム比で全ズーム領域にわたり高い光学性能を達成したズームレンズが得られる。
【図面の簡単な説明】
【００２０】
【図１】実施例１のレンズ断面図
【図２】実施例１に対応する数値実施例の広角端における収差図
【図３】実施例１に対応する数値実施例の中間のズーム位置における収差図
【図４】実施例１に対応する対応する数値実施例の望遠端における収差図
【図５】実施例２のレンズ断面図
【図６】実施例２に対応する数値実施例の広角端における収差図
【図７】実施例２に対応する数値実施例の中間のズーム位置における収差図
【図８】実施例２に対応する対応する数値実施例の望遠端における収差図
【図９】実施例３のレンズ断面図
【図１０】実施例３に対応する数値実施例の広角端における収差図
【図１１】実施例３に対応する数値実施例の中間のズーム位置における収差図
【図１２】実施例３に対応する対応する数値実施例の望遠端における収差図
【図１３】実施例４のレンズ断面図
【図１４】実施例４に対応する数値実施例の広角端における収差図
【図１５】実施例４に対応する数値実施例の中間のズーム位置における収差図
【図１６】実施例４に対応する対応する数値実施例の望遠端における収差図
【図１７】実施例５のレンズ断面図
【図１８】実施例５に対応する数値実施例の広角端における収差図
【図１９】実施例５に対応する数値実施例の中間のズーム位置における収差図
【図２０】実施例５に対応する対応する数値実施例の望遠端における収差図
【図２１】実施例６のレンズ断面図
【図２２】実施例６に対応する数値実施例の広角端における収差図
【図２３】実施例６に対応する数値実施例の中間のズーム位置における収差図
【図２４】実施例６に対応する対応する数値実施例の望遠端における収差図
【図２５】実施例７のレンズ断面図
【図２６】実施例７に対応する数値実施例の広角端における収差図
【図２７】実施例７に対応する数値実施例の中間のズーム位置における収差図
【図２８】実施例７に対応する対応する数値実施例の望遠端における収差図
【図２９】参考例１のレンズ断面図
【図３０】参考例１に対応する数値実施例の広角端における収差図
【図３１】参考例１に対応する数値実施例の中間のズーム位置における収差図
【図３２】参考例１に対応する対応する数値実施例の望遠端における収差図
【図３３】本発明の撮像装置の要部概略図
【発明を実施するための形態】
【００２１】
以下、本発明のズームレンズ及びそれを有する撮像装置の実施例について説明する。
【００２２】
図１は本発明の実施例１のズームレンズの広角端（短焦点距離端）におけるレンズ断面図、図２、図３、図４はそれぞれ実施例１のズームレンズの広角端、中間のズーム位置、望遠端（長焦点距離端）における収差図である。
【００２３】
図５は本発明の実施例２のズームレンズの広角端におけるレンズ断面図、図６、図７、図８はそれぞれ実施例２のズームレンズの広角端、中間のズーム位置、望遠端における収差図である。
【００２４】
図９は本発明の実施例３のズームレンズの広角端におけるレンズ断面図、図１０、図１１、図１２はそれぞれ実施例３のズームレンズの広角端、中間のズーム位置、望遠端における収差図である。
【００２５】
図１３は本発明の実施例４のズームレンズの広角端におけるレンズ断面図、図１４、図１５、図１６はそれぞれ実施例４のズームレンズの広角端、中間のズーム位置、望遠端における収差図である。
【００２６】
図１７は本発明の実施例５のズームレンズの広角端におけるレンズ断面図、図１８、図１９、図２０はそれぞれ実施例５のズームレンズの広角端、中間のズーム位置、望遠端における収差図である。
【００２７】
図２１は本発明の実施例６のズームレンズの広角端におけるレンズ断面図、図２２、図２３、図２４はそれぞれ実施例６のズームレンズの広角端、中間のズーム位置、望遠端における収差図である。
【００２８】
図２５は本発明の実施例７のズームレンズの広角端におけるレンズ断面図、図２６、図２７、図２８はそれぞれ実施例７のズームレンズの広角端、中間のズーム位置、望遠端における収差図である。
【００２９】
図２９は本発明の参考例１のズームレンズの広角端におけるレンズ断面図、図３０、図３１、図３２はそれぞれ参考例１のズームレンズの広角端、中間のズーム位置、望遠端における収差図である。
【００３０】
図３３は本発明のズームレンズを備えるビデオカメラ（撮像装置）の要部概略図である。
【００３１】
各実施例のズームレンズは撮像装置に用いられる撮影レンズ系であり、レンズ断面図において、ＺＬはズームレンズ、ＣＢはカメラ本体である。
【００３２】
Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群、Ｌ５は正の屈折力の第５レンズ群である。ＳＰは光量調整用の開口絞りであり、第３レンズ群Ｌ３の物体側に位置している。
【００３３】
図２５、図２９の実施例７、参考例１において、ＧＡはズームレンズＺＬの保護を目的とした必要に応じて設けられる保護ガラスである。尚、保護ガラスＧＡを実施例１〜６においても同様に用いても良い。
【００３４】
ＧＢは色分解プリズム、光学フィルター、フェースプレート、ローパスフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が、銀塩フィルム用カメラのときはフィルム面に相当する。
【００３５】
第１レンズ群Ｌ１から第５レンズ群Ｌ５（図２５、図２９の実施例７、参考例１では保護ガラスＧＡ）までの各要素はズームレンズ（ズームレンズ部）ＺＬの一要素を構成している。ガラスブロックＧＢと撮像素子はカメラ本体ＣＢ内に収納されている。ズームレンズ部ＺＬはマウント部材Ｃを介してカメラ本体ＣＢに着脱可能に装着されている。
【００３６】
収差図において、ｄ、ｇは各々ｄ線及びｇ線、ΔＭ、ΔＳはメリジオナル像面、サジタル像面、倍率色収差はｇ線によって表している。
【００３７】
ＦｎｏはＦナンバー、ωは撮影画角の半画角である。
【００３８】
尚、以下の各実施例において広角端と望遠端は変倍用のレンズ群（各実施例では第２レンズ群Ｌ２）が機構上光軸方向に移動可能な範囲の両端に位置したときのズーム位置をいう。
【００３９】
各実施例では、広角端から望遠端へのズーミング（変倍）に際して矢印のように、第２レンズ群Ｌ２を像側へ移動させて変倍を行うと共に、変倍に伴う像面変動を第４レンズ群Ｌ４を物体側に凸状の軌跡を有するよう移動させて補正している。
【００４０】
また、第４レンズ群Ｌ４の一部又は全部（各実施例では全部である）を光軸上移動させてフォーカシングを行うリアフォーカス式を採用している。
【００４１】
第４レンズ群のズーミングに伴う移動軌跡は物体距離によって異なっている。
【００４２】
第４レンズ群Ｌ４に関する実線の曲線４ａと点線の曲線４ｂは、各々無限遠物体と近距離物体にフォーカスしているときの変倍に伴う像面変動を補正するための移動軌跡である。このように第４レンズ群Ｌ４を物体側へ凸状の軌跡とすることで第３レンズ群Ｌ３と第４レンズ群Ｌ４との間の空間の有効利用を図り、レンズ全長の短縮化を効果的に達成している。
【００４３】
各実施例では、例えば望遠端において無限遠物体から近距離物体へフォーカスを行う場合には、矢印４ｃに示すように第４レンズ群Ｌ４を前方に繰り出すことで行っている。尚、第１レンズ群Ｌ１と第３レンズ群Ｌ３は、ズーミング及びフォーカスの為には光軸方向に固定であるが収差補正上必要に応じて移動させてもよい。
【００４４】
各実施例においては、第３レンズ群の一部又は全部のレンズ群（防振レンズ群）を光軸と垂直方向の成分を持つように移動させて光学系全体が振動したときの像ぶれを補正するようにしている。即ち防振を行っている。
【００４５】
これにより可変頂角プリズム等の光学部材や防振のためのレンズ群を新たに付加することなく防振を行うようにし、光学系全体が大型化するのを防止している。
【００４６】
図３３に示す本発明のビデオカメラ（撮像装置）は、少なくとも上記ズームレンズと、色分解用素子と該色分解素子によって分割された各色対応の撮像素子と、撮像信号処理回路等を有している。
【００４７】
まず図１、図５、図９、図１３、図１７、図２１の実施例１〜６の各レンズ群のレンズ構成について説明する。
【００４８】
実施例１〜６は、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、正の屈折力の第５レンズ群Ｌ５より成っている。
【００４９】
そして、ズーミングに際して前述の如く第２、第４レンズ群Ｌ２、Ｌ４が移動する。第１レンズ群Ｌ１は、負の屈折力の第１ａレンズ群Ｌ１ａ、正の屈折力の第１ｂレンズ群Ｌ１ｂより成っている。
【００５０】
ここで、第１ａレンズ群Ｌ１ａは、第１レンズ群内の最も物体側のレンズと、その像側のレンズとの空気間隔を除いて最も広い空気間隔を挟んで物体側（拡大共役側）のレンズ群である。第１ｂレンズ群Ｌ１ｂは、その空気間隔の像側（縮小共役側）のレンズ群のこととする。本実施例においては、第１レンズ群は、レンズ群としては第１ａレンズ群Ｌ１ａと第１ｂレンズ群Ｌ１ｂのみを有している。
【００５１】
第１ａレンズ群は、物体側から順に配置された、像側が凹面の２枚以上の負レンズ、１枚以上の正レンズにより構成されている。第１ｂレンズ群は、物体側から順に配置された、１枚以上の両凸形状の正レンズ、負レンズ、２枚以上の正レンズ、又は、１枚以上の両凸形状の正レンズ、負レンズと正レンズより成る接合レンズ、１枚以上の正レンズにより構成されている。第１ｂレンズ群内の接合レンズ或いは負レンズより像側に配置された正レンズが、物体側に凸面を有する２枚以下の正レンズである。具体的には第１ａレンズ群Ｌ１ａは、像側が凹面の２枚の負レンズ、像側の屈折力の絶対値が物体側の屈折力の絶対値よりも大きい両凸形状の正レンズより成っている。
【００５２】
第１ｂレンズ群Ｌ１ｂは、両凸形状の正レンズ、像側が凹面の負レンズ又は像側が凹面の負レンズと正レンズとの接合レンズ、物体側が凸面の２つの正レンズより成っている。
【００５３】
尚、第１ａレンズ群Ｌ１ａを像側が凹面の２以上の負レンズ（３枚でも４枚でも構わない）、像側の屈折力の絶対値が物体側の屈折力の絶対値よりも大きい両凸形状の正レンズより構成しても良い。
【００５４】
又、第１ｂレンズ群Ｌ１ｂを、両凸形状の正レンズ、負レンズ又は負レンズと正レンズより成る接合レンズ、最も像側に、物体側の屈折力の絶対値が像側の屈折力の絶対値よりも大きい物体側が凸面の正レンズより構成しても良い。
【００５５】
尚、第１ｂレンズ群Ｌ１ｂは両凸形状の正レンズと、負レンズと物体側が凸面の正レンズより構成しても良く、これによればレンズ構成が簡素化される。
【００５６】
ここで、第１ｂレンズ群Ｌ１ｂの少なくとも１枚の負レンズまたは接合レンズと、最も像面側の物体側が凸面の正レンズのレンズ構成により、望遠端の軸上色収差や球面収差を良好に補正している。
【００５７】
第１ｂレンズ群Ｌ１ｂは、以上のように３枚以上の３枚から５枚のレンズより構成して諸収差を良好に補正している。
【００５８】
また、第１レンズ群Ｌ１のレンズ構成を上記のようにすることにより、広角端の画角が７５度以上の超広画角のズームレンズにもかかわらず、歪曲収差を通常の画角のズームレンズ並みの収差量に補正している。
【００５９】
さらに非点収差や、像面湾曲を良好に補正している。
【００６０】
第２レンズ群Ｌ２は、物体側から像側へ順に像側が凹面でメニスカス形状の負レンズ、像側が凸面の正レンズと両凹形状の負レンズとの接合レンズ、両凸形状の正レンズと負レンズとの接合レンズ又は単一の正レンズより成っている。ここで、最も物体側に配置された負レンズの像側に隣接させて負レンズを１、２枚配置しても構わない。
【００６１】
変倍作用をする第２レンズ群Ｌ２をこのように構成することにより、収差補正を良好に行っている。又第２レンズ群Ｌ２のレンズ構成は、高性能な光学性能を得るため、ズーミングによる収差変動を良好に補正するようにしている。
【００６２】
尚、各実施例においては、第２レンズ群Ｌ２に非球面を導入している。これにより広角端での非点収差を良好に補正して、高い光学性能を得ている。
【００６３】
前記第３レンズ群は、物体側から像側へ順に、両凹形状の負レンズと正レンズとの接合レンズ、正レンズと負レンズとの接合レンズ又は単一の正レンズより成っている。
【００６４】
前記第３レンズ群の一部又は全部は、光軸と垂直方向の成分を持つように移動して像を変位している。
【００６５】
第３レンズ群Ｌ３は、物体側から像側へ順に、両凹形状の負レンズと正レンズとの接合レンズ、正レンズと負レンズとの接合レンズ又は単一の正レンズ（２枚以上でも良い）より成っている。
【００６６】
又、第３レンズ群Ｌ３は、少なくとも１以上の非球面を有している。これによって広角端での球面収差やコマ収差、および軸上色収差を良好に補正している。
【００６７】
このときの第３レンズ群Ｌ３に非球面を導入するとき、の非球面形状はレンズの周辺部にいくに従って正の屈折力が弱くなる形状とするのが望ましい。
【００６８】
第３レンズ群Ｌ３の一部又は全部は、光軸と垂直方向の成分を持つ方向に移動して像を変位させている。即ち、防振を行うために、言い換えると像の揺れを抑制するため、又は像の位置変化量を低減するために、第３レンズ群Ｌ３の一部又は全部を光軸と垂直方向の成分を持つ方向に移動している。
【００６９】
第４レンズ群Ｌ４は、物体側から像側へ順に正レンズ、負レンズと正レンズとの接合レンズより成っている。
【００７０】
第５レンズ群Ｌ５は物体側から像側へ順に、両凸形状の正レンズと負レンズとの接合レンズより成っている。
【００７１】
第５レンズ群Ｌ５のレンズ構成は、レンズ系全体として第４レンズ群に影響する。第５レンズ群Ｌ５は、第４レンズ群Ｌ４が行う球面収差、色収差の補正の一部を担っている。これによって、移動レンズ群である第４レンズ群Ｌ４のレンズ構成枚数を少なくしている。又第４レンズ群Ｌ４で瞬時のフォーカスを行うのに最適な構成としている。
【００７２】
又、第５レンズ群Ｌ５は、第１レンズ群Ｌ１から第４レンズ群Ｌ４まででは補正しきれない収差、特に球面収差、色収差を補正して、高画質に適した収差補正を実現している。
【００７３】
次に図２５、図２９の実施例７、参考例１の各レンズ群のレンズ構成について説明する。
【００７４】
実施例７、参考例１は、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４より成っている。
【００７５】
そしてズーミングに際して前述の如く第２、第４レンズ群Ｌ２、Ｌ４が移動する。
【００７６】
第１レンズ群Ｌ１は、負の屈折力の第１ａレンズ群Ｌ１ａ、正の屈折力の第１ｂレンズ群Ｌ１ｂより成っている。
【００７７】
第１ａレンズ群Ｌ１ａ、第１ｂレンズ群Ｌ１ｂのレンズ構成及びそれから得られる効果は、実施例１〜６と同じである。
【００７８】
第２レンズ群Ｌ２は、物体側から像側へ順に像側が凹面でメニスカス形状の負レンズ、像側が凸面の正レンズと両凹形状の負レンズとの接合レンズ、両凸形状の正レンズと負レンズとの接合レンズ又は単一の正レンズより成っている。
【００７９】
第３レンズ群Ｌ３は、物体側から像側へ順に、両凹形状の負レンズと正レンズとの接合レンズ、正レンズと負レンズとの接合レンズより成っている。
【００８０】
第４レンズ群Ｌ４のレンズ構成は、実施例１〜６と同じである。
【００８１】
各実施例では次の条件のうち１以上を満足するようにし、これによって各条件に相当する効果を得ている。
【００８２】
第１ａレンズ群Ｌ１ａと第１レンズ群Ｌ１の焦点距離を各々ｆ１ａ、ｆ１とする。
【００８３】
広角端における第１レンズ群Ｌ１と第２レンズ群Ｌ２の主点間隔をＨ１２ｗとする。広角端における全系の焦点距離をｆｗとする。
【００８４】
第１ｂレンズ群Ｌ１ｂ中の負レンズの物体側の面の曲率半径をＲ１ｂＦとする。
【００８５】
第２レンズ群Ｌ２の焦点距離をｆ２とする。広角端における全系のＦナンバーをＦｎｏｗとする。広角端において最も像側のレンズ面から像面までの距離の空気換算量（プリズム等の光学ブロックがないとしたときの長さ）所謂バックフォーカスをＢＦとする。
【００８６】
このとき、
２．２８≦｜ｆ１ａ／ｆ１｜＜４．００    ‥‥‥（１）
−７．７＜Ｈ１２ｗ／ｆｗ＜−３．５          ‥‥‥（２）
−０．０９＜ｆ１／Ｒ１ｂＦ≦０．００３      ‥‥‥（３）
２．８＜｜ｆ２／ｆｗ｜＜５．２            ‥‥‥（４）
【００８７】
【数１】
0005372205.tif 000002
【００８８】
なる条件のうち１以上を満足している。
【００８９】
次に前述の各条件式の技術的意味について説明する。
【００９０】
条件式（１）は第１レンズ群Ｌ１中の第１ａレンズ群Ｌ１ａの屈折力を規定している条件である。条件式（１）は、間接的に第２レンズ群Ｌ２との主点間隔に影響をする。条件式（１）の上限を超えると主点間隔が短くならず、レンズ系が大型化して好ましくない。逆に条件式（１）の下限を超えて第１ａレンズ群Ｌ１ａの屈折力が大きくなると、主点間隔を小さくするのには有利だが、広角端から中間のズーム位置において非点収差や倍率色収差の補正が困難になる。
【００９１】
条件式（２）は諸収差を良好に補正しつつ、レンズ全長の短縮化を図るための条件である。条件式（２）の上限を超えて主点間隔が大きくなると前玉径が大きくなってきて小型化が困難になる。
【００９２】
逆に条件式（２）の下限を超えて主点間隔が小さくなると、広角端から中間のズーム位置において非点収差や倍率色収差の補正が困難になってくる。
【００９３】
条件式（３）は広角端で発生する諸収差を良好に補正するための条件であり、特に、歪曲収差と倍率色収差を良好に補正するための条件である。条件式（３）の上限を超えて曲率が大きくなると倍率色収差がプラス方向に大きくなり好ましくない。逆に条件式（３）の下限を超えると、歪曲収差がマイナス方向に大きく発生してくるので好ましくない。
【００９４】
条件式（４）、（５）はいずれもレンズ系全体の小型化と広画角化、そして長いバックフォーカスを確保するための条件である。条件式（４）、（５）のうち少なくとも１つを満足することによりバランスの取れたレンズ系を達成することができる。
【００９５】
条件式（４）は第２レンズ群Ｌ２の負の屈折力に関し、超広画角化を達成するための変倍部の屈折力を規定している。
【００９６】
又条件式（４）はズーミングに伴う収差変動を少なくしつつ高ズーム比を確保するためのものである。
【００９７】
条件式（４）の上限を超えて第２レンズ群Ｌ２の負の屈折力が弱くなると変倍部におけるアフォーカル倍率を十分高めることができずバックフォーカスを所望の長さ確保することが困難となる。
【００９８】
また、所望のズーム比を得るための第２レンズ群Ｌ２の移動量が増大し、絞りＳＰと第１レンズ群Ｌ１との距離が長くなって前玉径の増大を招くので好ましくない。
【００９９】
逆に条件式（４）の下限を超えて第２レンズ群Ｌ２の負の屈折力が強くなリ過ぎると、ペッツバール和が負の方向に増大し像面湾曲が大きくなると共に、ズーミングに伴う収差変動が大きくなる。
【０１００】
条件式（５）はズームレンズのバックフォーカスＢＦとＦナンバーとの関係式である。条件式（５）は、高性能なカメラで採用している色分解プリズムを用いて３つの色光に分光してそれぞれの画像を撮像素子で撮像して高画質の画像を得るためのものである。
【０１０１】
条件式（５）の上限を超えてＦナンバーを明るくすると高次の球面収差、コマ収差が多く発生し、これらの収差の補正が困難となる。逆に条件式（５）の下限を越えて、Ｆナンバーが暗くなると軸上光線束が細くなり、ズームレンズの像側に配置される色分解プリズムが小型化になる。この結果、バックフォーカスが必要以上に長くなり、レンズ系全長の長大化を招き好ましくない。
【０１０２】
又、各実施例では、第３レンズ群Ｌ３は少なくとも１つの空気間隔をはさんで複数のレンズを有している。そして少なくとも１つの空気間隔の光軸方向の長さをＤ３ａ、該第３レンズ群の焦点距離をｆ３とする。このとき
０．０１＜Ｄ３ａ／ｆ３＜０．１０      ‥‥‥（６）
なる条件を満足している。
【０１０３】
第３レンズ群Ｌ３中の空気間隔は、光量調整用の絞りとは別に単一又は複数のＮＤフィルターなどの光量調整用フィルターを光路中に挿脱するためのものである。
【０１０４】
各実施例では、単一又は複数の光量調整用フィルターを光路中に挿脱して撮像素子に入射する光量を調整している。
【０１０５】
条件式（６）の上限を超えて、間隔が広くなりすぎるとレンズ系全体が大型化し、同時に、広角端における球面収差の補正が困難になってくる。逆に下限を超えると光量調整用フィルターの光路中への挿入が困難になる。
【０１０６】
第１ｂレンズ群Ｌ１ｂは最も物体側に両凸形状の正レンズを有し、第１ａレンズ群Ｌ１ａの最も物体側に配置されたレンズから第１ｂレンズ群Ｌ１ｂの両凸形状の正レンズまでの合成系の焦点距離をｆ１ＦＦ、第１レンズ群の焦点距離をｆ１とする。このとき
０．０２＜ｆ１／ｆ１ＦＦ＜０．８３      ‥‥‥（７）
なる条件を満足している。
【０１０７】
一般に、第１レンズ群の物体側に挿脱するワイドコンバーターレンズは屈折力が略０のアフォーカル系より成っている。
【０１０８】
各実施例において、第１レンズ群Ｌ１の一部のレンズ群がアフォーカル系であるとすると、そのレンズ構成は第１ａレンズ群Ｌ１ａと第１ｂレンズ群の物体側の正レンズに相当する。
【０１０９】
しかしながら各実施例では、アフォール系を付加したものでないため、第１ａレンズ群Ｌ１ａと第１ｂレンズ群の物体側の正レンズより成る合成系は所定の屈折力を有している。
【０１１０】
条件式（７）は、このときの合成系の屈折力（焦点距離の逆数）を適切に設定したものである。
【０１１１】
条件式（７）はレンズ系全体の小型化を図るための条件である。条件式（７）の下限を超えて合成焦点距離ｆ１ＦＦが長くなるとレンズ系全体が大型化してくる。逆に上限を超えると球面収差の補正が困難になる。
【０１１２】
尚、実施例１〜６においては、第３レンズ群Ｌ３と第５レンズ群Ｌ５の焦点距離を各々ｆ３、ｆ５とする。このとき
１．２＜ｆ３／ｆ５＜３．６    ‥‥‥（８）
なる条件を満足している。
【０１１３】
条件式（８）は第３レンズ群Ｌ３と第５レンズ群Ｌ５の焦点距離の比に関し、ズーム比を大きくすることと長いバックフォーカスを確保するための条件である。条件式（８）の上限を超えて第３レンズ群Ｌ３の焦点距離が長くなると第３レンズ群Ｌ３から射出する光束の発散が大きくなり、バックフォーカスは長くなるが、第４レンズ群Ｌ４の有効径が大きくなりレンズ系全体が重くなってくる。
【０１１４】
逆に条件式（８）の下限を超えて第３レンズ群Ｌ３の焦点距離が短くなると充分な長さのバックフォーカスを確保するのが困難になる。又、第５レンズ群Ｌ５の焦点距離が長くなると球面収差の補正が不十分となる。
【０１１５】
尚、更に好ましくは、条件式（１）〜（８）の数値範囲を次の如く設定するのが光学性能を良好に維持するのが容易となるので好ましい。
【０１１６】
２．２８≦｜ｆ１ａ／ｆ１｜＜３．５      ‥‥‥（１ａ）
−７．０＜Ｈ１２ｗ／ｆｗ＜−４．０        ‥‥‥（２ａ）
−０．０７＜ｆ１／Ｒ１ｂＦ≦０．００３    ‥‥‥（３ａ）
３．１＜｜ｆ２／ｆｗ｜＜４．８          ‥‥‥（４ａ）
【０１１７】
【数２】
0005372205.tif 000003
【０１１８】
０．０１５＜Ｄ３ａ／ｆ３＜０．０９      ‥‥‥（６ａ）
０．１  ＜ｆ１／ｆ１ＦＦ＜０．７５      ‥‥‥（７ａ）
１．４＜ｆ３／ｆ５＜３．２              ‥‥‥（８ａ）
尚、更に好ましくは、条件式（１ａ）の上限値を３．３としたり、条件式（７ａ）の下限値を０．３としたりしても良い。
【０１１９】
又、各実施例では、広角端で無限遠物体にフォーカスしたときの歪曲収差が、画面全体にわたり−６％から０％であるように各要素を特定している。
【０１２０】
超広画角になってくると歪曲収差はますます増大し、マイナスの歪曲収差すなわち樽型の歪曲が多く発生する。近年、画像表示面がフラットＴＶになってきて、樽型の歪曲収差が目立つようになってきた。そのため歪曲収差も良好に補正する必要がある。
【０１２１】
従来、歪曲収差を補正するには最も物体側に正レンズを配置するか又は非球面を配置して補正している。
【０１２２】
各実施例では、第１レンズ群Ｌ１を前述の如く構成することで歪曲収差を良好に補正している。
【０１２３】
尚、実施例１〜６においては第５レンズ群Ｌ５の像側、実施例７、参考例１では第４レンズ群の像側に、又は／及び第１レンズ群Ｌ１の物体側に屈折力の小さな光学部材を配置しても良い。
【０１２４】
次に本発明のズームレンズを撮影光学系として用いたビデオカメラ（撮像装置）の実施形態を図３３を用いて説明する。
【０１２５】
図３３において、１０はビデオカメラ本体またはデジタルスチルカメラ本体、１１は本発明のズームレンズによって構成された撮影光学系である。１２は撮影光学系１１によって被写体像を受光するＣＣＤ等の撮像素子の１つ、１３は撮像素子１２が受光した被写体像を記録する記録手段である。１４は表示素子に表示された被写体像を観察するためのファインダーである。
【０１２６】
上記表示素子は液晶パネル等によって構成され、撮像素子１２上に形成された披写体像が表示される。１５は不図示の前記ファインダーと同等の機能を有する液晶表示パネルである。
【０１２７】
このように本発明のズームレンズをビデオカメラ等の撮像装置に適用することにより、高い光学性能を有する光学機器を実現している。
【０１２８】
以上のように各実施例によればレンズ系全体を小型化し、高変倍比にもかかわらず高い光学性能を有したズームレンズ及びそれを用いた撮像装置を達成することができる。
【０１２９】
この他各実施例によれば、ズーム比が６〜８倍と高変倍比にもかかわらず広角端から望遠端のズーム位置に至る全変倍範囲にわたり、また無限遠物体から超至近物体に至る物体距離全般にわたり高い光学性能を有している。そしてＦナンバーが１．６程度と大口径比でありながら、色分解用プリズム等の光学素子が入る長いバックフォーカスを有している。更に複雑な絞り機構の入る空間や、ＮＤフィルターの入る空間等を確保しつつ、全ズーム域・全物体距離にわたって良好な性能を有するズームレンズの提供が可能になり、このズームレンズが得られる。
【０１３０】
以下に、実施例１〜７、参考例１に各々対応する数値実施例１〜８を示す。各数値実施例において、ｉは物体側からの面の順番を示し、Ｒｉは各面の曲率半径、Ｄｉは第ｉ面と第ｉ＋１面との間の部材肉厚又は空気間隔、Ｎｉ，νｉはそれぞれｄ線に対する屈折率，アッベ数を示す。又、各数値実施例では最も像側の３つの面は水晶ローパスフィルター、赤外カットフィルター等に相当する平面である。
【０１３１】
非球面形状は光軸からの高さＨの位置での光軸方向の変位を面頂点に基準にしてＸとするとき、
【０１３２】
【数３】
0005372205.tif 000004
【０１３３】
で表される。但しＲは近軸曲率半径、ｋは円錐定数、Ａ，Ｂ，Ｃ．Ｄ，Ｅは非球面係数である。
【０１３４】
又、「ｅ−Ｘ」は「×１０−Ｘ」を意味している。ｆは焦点距離、ＦｎｏはＦナンバー、ωは半画角を示す。又、前述の各条件式と数値実施例における諸数値との関係を表−１に示す。
【０１３５】
数値実施例 １
ｆ＝１〜5.84  Ｆｎｏ＝ 1.66 〜 2.66  ２ω＝82.5 〜 17.1
R 1 =   55.728      D 1 =  0.94      N 1 = 1.712995      ν 1 = 53.9
R 2 =    8.844      D 2 =  4.12
R 3 = -834.144      D 3 =  0.76      N 2 = 1.719995      ν 2 = 50.2
R 4 =   20.789      D 4 =  1.52
R 5 =   75.948      D 5 =  1.75      N 3 = 1.846660      ν 3 = 23.9
R 6 =  -26.570      D 6 =  3.79
R 7 =   18.490      D 7 =  2.89      N 4 = 1.603112      ν 4 = 60.6
R 8 =  -18.490      D 8 =  0.66
R 9 = -248.620      D 9 =  0.58      N 5 = 1.846660      ν 5 = 23.9
R10 =   10.085      D10 =  0.36
R11 =   13.077      D11 =  1.78      N 6 = 1.487490      ν 6 = 70.2
R12 =  -45.518      D12 =  0.06
R13 =    9.697      D13 =  1.55      N 7 = 1.719995      ν 7 = 50.2
R14 =  405.903      D14 =  可変
R15 =   11.623      D15 =  0.29      N 8 = 1.882997      ν 8 = 40.8
R16 =    2.651      D16 =  0.99
R17 =  -22.930      D17 =  1.20      N 9 = 1.808095      ν 9 = 22.8
R18 =   -3.673      D18 =  0.50      N10 = 1.859600      ν10 = 40.4
R19*=    6.115      D19 =  0.50
R20 =    5.964      D20 =  1.13      N11 = 1.603420      ν11 = 38.0
R21 =   -5.964      D21 =  0.20      N12 = 1.882997      ν12 = 40.8
R22 =  -10.871      D22 =  可変
R23 =    絞り       D23 =  1.40
R24 =   -5.867      D24 =  0.23      N13 = 1.638539      ν13 = 55.4
R25 =    4.070      D25 =  1.14      N14 = 1.683290      ν14 = 31.4
R26*=  -18.373      D26 =  1.86
R27 =   30.383      D27 =  1.61      N15 = 1.548141      ν15 = 45.8
R28 =   -4.309      D28 =  0.29      N16 = 2.003300      ν16 = 28.3
R29 =   -7.062      D29 =  可変
R30 =  137.286      D30 =  0.73      N17 = 1.622992      ν17 = 58.2
R31 =  -11.175      D31 =  0.06
R32 =   11.578      D32 =  0.29      N18 = 1.846660      ν18 = 23.9
R33 =    5.964      D33 =  1.49      N19 = 1.487490      ν19 = 70.2
R34 =  -12.755      D34 =  可変
R35 =   11.547      D35 =  0.85      N20 = 1.487490      ν20 = 70.2
R36 =   -8.906      D36 =  0.26      N21 = 1.647689      ν21 = 33.8
R37 = -114.307      D37 =  1.75
R38 =    ∞         D38 =  5.85      N22 = 1.589130      ν22 = 61.2
R39 =    ∞         D39 =  1.10      N23 = 1.516330      ν23 = 64.2
R40 =    ∞
*は非球面
非球面係数
R19 ｋ= 9.57065e-01 Ｂ=-1.80926e-03 Ｃ=-4.75705e-05 Ｄ=0.00
Ｅ=0.00 Ｆ=0.00
R26 ｋ=-2.15005e+01 Ｂ= 5.86862e-04 Ｃ= 2.13598e-05 Ｄ=-7.76637e-07
Ｅ=0.00 Ｆ=0.00
＼焦点距離    1.00    3.93     5.84
可変間隔＼
D14           0.29    6.37     7.53
D22           8.30    2.22     1.06
D29           1.82    1.32     1.83
D34           1.15    1.65     1.14
【０１３６】
数値実施例  ２
ｆ＝１〜5.84  Ｆｎｏ＝ 1.68 〜 2.65  ２ω＝82.5 〜 17.1
R 1 =   48.316      D 1 =  0.94      N 1 = 1.772499      ν 1 = 49.6
R 2 =    9.028      D 2 =  4.20
R 3 = -101.358      D 3 =  0.76      N 2 = 1.638539      ν 2 = 55.4
R 4 =   20.481      D 4 =  1.36
R 5 =   71.694      D 5 =  1.75      N 3 = 1.846660      ν 3 = 23.9
R 6 =  -25.772      D 6 =  3.94
R 7 =   18.654      D 7 =  2.69      N 4 = 1.603112      ν 4 = 60.6
R 8 =  -18.654      D 8 =  0.82
R 9 = -206.775      D 9 =  0.58      N 5 = 1.846660      ν 5 = 23.9
R10 =   10.347      D10 =  0.34
R11 =   13.343      D11 =  1.76      N 6 = 1.487490      ν 6 = 70.2
R12 =  -44.086      D12 =  0.06
R13 =    9.939      D13 =  1.44      N 7 = 1.719995      ν 7 = 50.2
R14 =  447.751      D14 =  可変
R15 =   11.953      D15 =  0.29      N 8 = 1.882997      ν 8 = 40.8
R16 =    2.713      D16 =  0.98
R17 =  -45.759      D17 =  1.40      N 9 = 1.805181      ν 9 = 25.4
R18 =   -2.977      D18 =  0.29      N10 = 1.848620      ν10 = 40.0
R19*=    6.236      D19 =  0.48
R20 =    5.741      D20 =  1.02      N11 = 1.603420      ν11 = 38.0
R21 =  -28.249      D21 =  可変
R22 =    絞り       D22 =  1.77
R23 =   -4.928      D23 =  0.23      N12 = 1.622992      ν12 = 58.2
R24 =    4.928      D24 =  1.14      N13 = 1.683290      ν13 = 31.4
R25*=  -14.511      D25 =  1.84
R26 =   33.785      D26 =  1.55      N14 = 1.548141      ν14 = 45.8
R27 =   -4.364      D27 =  0.29      N15 = 2.003300      ν15 = 28.3
R28 =   -6.952      D28 =  可変
R29 =   61.240      D29 =  0.73      N16 = 1.603112      ν16 = 60.6
R30 =  -11.708      D30 =  0.06
R31 =   11.643      D31 =  0.29      N17 = 1.846660      ν17 = 23.9
R32 =    5.931      D32 =  1.58      N18 = 1.487490      ν18 = 70.2
R33 =  -13.771      D33 =  可変
R34 =   11.823      D34 =  0.85      N19 = 1.487490      ν19 = 70.2
R35 =   -8.558      D35 =  0.26      N20 = 1.647689      ν20 = 33.8
R36 =  -67.005      D36 =  1.46
R37 =    ∞         D37 =  5.85      N21 = 1.589130      ν21 = 61.2
R38 =    ∞         D38 =  1.10      N22 = 1.516330      ν22 = 64.2
R39 =    ∞
*は非球面
非球面係数
R19 ｋ= 2.12008e+00 Ｂ=-2.35439e-03 Ｃ=-1.22931e-04 Ｄ=0.00
Ｅ=0.00 Ｆ=0.00
R25 ｋ=-1.62372e+00 Ｂ= 8.69232e-04 Ｃ= 9.25646e-06 Ｄ=-9.54787e-07
Ｅ=0.00 Ｆ=0.00
＼焦点距離    1.00    3.95     5.84
可変間隔＼
D14           0.29    6.52     7.71
D21           8.73    2.50     1.31
D28           1.29    0.75     1.27
D33           1.46    1.99     1.48
【０１３７】
数値実施例 ３
ｆ＝１〜 5.84  Ｆｎｏ＝ 1.68 〜 2.65  ２ω＝82.5 〜 17.1
R 1 =   60.659      D 1 =  0.94      N 1 = 1.712995      ν 1 = 53.9
R 2 =    9.219      D 2 =  4.50
R 3 =  -48.636      D 3 =  0.76      N 2 = 1.638539      ν 2 = 55.4
R 4 =   25.034      D 4 =  1.40
R 5 =  103.195      D 5 =  1.90      N 3 = 1.846660      ν 3 = 23.9
R 6 =  -21.633      D 6 =  4.41
R 7 =   19.247      D 7 =  2.83      N 4 = 1.603112      ν 4 = 60.6
R 8 =  -19.247      D 8 =  0.18
R 9 = -931.793      D 9 =  0.58      N 5 = 1.846660      ν 5 = 23.9
R10 =   10.240      D10 =  0.51
R11 =   15.325      D11 =  1.55      N 6 = 1.487490      ν 6 = 70.2
R12 =  -94.158      D12 =  0.06
R13 =    9.951      D13 =  1.58      N 7 = 1.693501      ν 7 = 53.2
R14 = -960.836      D14 =  可変
R15 =   12.119      D15 =  0.29      N 8 = 1.882997      ν 8 = 40.8
R16 =    2.947      D16 =  1.00
R17 =  -40.088      D17 =  1.40      N 9 = 1.805181      ν 9 = 25.4
R18 =   -3.447      D18 =  0.47      N10 = 1.848620      ν10 = 40.0
R19*=    5.933      D19 =  0.50
R20 =    5.803      D20 =  1.02      N11 = 1.603420      ν11 = 38.0
R21 =  -11.104      D21 =  0.23      N12 = 1.882997      ν12 = 40.8
R22 =  -16.758      D22 =  可変
R23 =    絞り       D23 =  2.01
R24 =   -5.111      D24 =  0.23      N13 = 1.638539      ν13 = 55.4
R25 =    5.111      D25 =  1.14      N14 = 1.683290      ν14 = 31.4
R26*=  -15.680      D26 =  1.90
R27 =   79.346      D27 =  1.17      N15 = 1.433870      ν15 = 95.1
R28 =   -7.368      D28 =  可変
R29 =   23.538      D29 =  0.73      N16 = 1.603112      ν16 = 60.6
R30 =  -16.898      D30 =  0.06
R31 =   15.764      D31 =  0.29      N17 = 1.846660      ν17 = 23.9
R32 =    6.655      D32 =  1.58      N18 = 1.487490      ν18 = 70.2
R33 =  -10.971      D33 =  可変
R34 =   13.317      D34 =  0.85      N19 = 1.487490      ν19 = 70.2
R35 =   -8.206      D35 =  0.26      N20 = 1.698947      ν20 = 30.1
R36 =  -32.545      D36 =  1.46
R37 =    ∞         D37 =  5.85      N21 = 1.589130      ν21 = 61.2
R38 =    ∞         D38 =  1.10      N22 = 1.516330      ν22 = 64.2
R39 =    ∞
*は非球面
非球面係数
R19 ｋ= 1.55464e+00 Ｂ=-1.88361e-03 Ｃ=-6.82493e-05 Ｄ=0.00
Ｅ=0.00 Ｆ=0.00
R26 ｋ=-1.54951e+00 Ｂ= 1.33596e-03 Ｃ= 2.64342e-05 Ｄ=-6.62544e-07
Ｅ=0.00 Ｆ=0.00
＼焦点距離    1.00    3.94     5.84
可変間隔＼
D14           0.29    7.25     8.58
D22           9.50    2.54     1.22
D28           1.46    0.94     1.42
D33           1.42    1.94     1.46
【０１３８】
数値実施例 ４
ｆ＝１〜5.84  Ｆｎｏ＝ 1.68 〜 2.65  ２ω＝82.5 〜 17.1
R 1 =   54.227      D 1 =  0.94      N 1 = 1.772499      ν 1 = 49.6
R 2 =    9.750      D 2 =  4.35
R 3 =  -53.303      D 3 =  0.76      N 2 = 1.638539      ν 2 = 55.4
R 4 =   20.328      D 4 =  2.29
R 5 =  211.980      D 5 =  1.90      N 3 = 1.846660      ν3 = 23.9
R 6 =  -20.320      D 6 =  4.31
R 7 =   19.940      D 7 =  2.83      N 4 = 1.603112      ν 4 = 60.6
R 8 =  -19.940      D 8 =  0.88
R 9 = -938.652      D 9 =  0.58      N 5 = 1.846660      ν 5 = 23.9
R10 =   10.223      D10 =  0.39
R11 =   14.337      D11 =  1.45      N 6 = 1.487490      ν 6 = 70.2
R12 = -142.318      D12 =  0.06
R13 =    9.842      D13 =  1.45      N 7 = 1.696797      ν 7 = 55.5
R14 =  590.969      D14 =  可変
R15 =   11.796      D15 =  0.29      N 8 = 1.882997      ν 8 = 40.8
R16 =    2.928      D16 =  0.96
R17 = -110.824      D17 =  1.40      N 9 = 1.808095      ν 9 = 22.8
R18 =   -4.808      D18 =  0.47      N10 = 1.848620      ν10 = 40.0
R19*=    6.221      D19 =  0.42
R20 =    5.470      D20 =  1.02      N11 = 1.603420      ν11 = 38.0
R21 =   -7.007      D21 =  0.23      N12 = 1.882997      ν12 = 40.8
R22 =  -19.590      D22 =  可変
R23 =    絞り       D23 =  2.44
R24 =   -5.647      D24 =  0.23      N13 = 1.638539      ν13 = 55.4
R25 =    5.647      D25 =  1.14      N14 = 1.683290      ν14 = 31.4
R26*=  -18.563      D26 =  2.14
R27 =   77.058      D27 =  1.17      N15 = 1.496999      ν15 = 81.5
R28 =   -8.491      D28 =  可変
R29 =   26.207      D29 =  0.73      N16 = 1.603112      ν16 = 60.6
R30 =  -17.547      D30 =  0.06
R31 =   14.490      D31 =  0.29      N17 = 1.846660      ν17 = 23.9
R32 =    6.816      D32 =  1.58      N18 = 1.496999      ν18 = 81.6
R33 =  -13.363      D33 =  可変
R34 =   15.647      D34 =  0.85      N19 = 1.487490      ν19 = 70.2
R35 =   -8.463      D35 =  0.26      N20 = 1.698947      ν20 = 30.1
R36 =  -32.700      D36 =  1.46
R37 =    ∞         D37 =  5.84      N21 = 1.589130      ν21 = 61.2
R38 =    ∞         D38 =  1.10      N22 = 1.516330      ν22 = 64.2
R39 =    ∞
*は非球面
非球面係数
R19 ｋ= 1.36203e+00 Ｂ=-1.54961e-03 Ｃ=-5.12136e-05 Ｄ=0.00
Ｅ=0.00 Ｆ=0.00
R26 ｋ=-4.82085e+00 Ｂ= 1.07535e-03 Ｃ= 1.96665e-05 Ｄ=-6.81464e-07
Ｅ=0.00 Ｆ=0.00
＼焦点距離    1.00    3.95     5.84
可変間隔＼
D14           0.29    7.36     8.71
D22           9.49    2.43     1.08
D28           1.46    0.77     1.17
D33           1.87    2.55     2.16
【０１３９】
数値実施例 ５
ｆ＝１〜7.64  Ｆｎｏ＝ 1.66 〜 2.95  ２ω＝82.5 〜 13.1
R 1 =   60.588      D 1 =  0.93      N 1 = 1.712995      ν 1 = 53.9
R 2 =    9.071      D 2 =  4.19
R 3 = 1747.387      D 3 =  0.76      N 2 = 1.719995      ν 2 = 50.2
R 4 =   22.573      D 4 =  1.48
R 5 =   77.437      D 5 =  1.78      N 3 = 1.846660      ν 3 = 23.9
R 6 =  -25.177      D 6 =  3.90
R 7 =   18.577      D 7 =  2.98      N 4 = 1.603112      ν 4 = 60.6
R 8 =  -18.577      D 8 =  0.25
R 9 = -205.801      D 9 =  0.58      N 5 = 1.846660      ν 5 = 23.9
R10 =   10.137      D10 =  0.40
R11 =   13.449      D11 =  1.78      N 6 = 1.487490      ν 6 = 70.2
R12 =  -66.098      D12 =  0.06
R13 =    9.857      D13 =  1.58      N 7 = 1.719995      ν 7 = 50.2
R14 =  460.450      D14 =  可変
R15 =   11.110      D15 =  0.29      N 8 = 1.882997      ν 8 = 40.8
R16 =    2.652      D16 =  1.05
R17 =  -25.710      D17 =  1.20      N 9 = 1.808095      ν 9 = 22.8
R18 =   -3.602      D18 =  0.50      N10 = 1.859600      ν10 = 40.4
R19*=    5.810      D19 =  0.50
R20 =    5.695      D20 =  1.14      N11 = 1.603420      ν11 = 38.0
R21 =   -5.695      D21 =  0.20      N12 = 1.882997      ν12 = 40.8
R22 =  -11.597      D22 =  可変
R23 =    絞り       D23 =  1.06
R24 =   -6.017      D24 =  0.23      N13 = 1.638539      ν13 = 55.4
R25 =    4.380      D25 =  1.14      N14 = 1.683290      ν14 = 31.4
R26*=  -18.056      D26 =  1.84
R27 =   27.200      D27 =  1.61      N15 = 1.548141      ν15 = 45.8
R28 =   -4.307      D28 =  0.29      N16 = 2.003300      ν16 = 28.3
R29 =   -7.070      D29 =  可変
R30 =  140.480      D30 =  0.73      N17 = 1.622992      ν17 = 58.2
R31 =  -11.298      D31 =  0.06
R32 =   11.963      D32 =  0.29      N18 = 1.846660      ν18 = 23.9
R33 =    6.100      D33 =  1.49      N19 = 1.487490      ν19 = 70.2
R34 =  -13.286      D34 =  可変
R35 =   12.235      D35 =  0.85      N20 = 1.487490      ν20 = 70.2
R36 =   -8.964      D36 =  0.26      N21 = 1.647689      ν21 = 33.8
R37 =  -90.929      D37 =  1.75
R38 =    ∞         D38 =  5.84      N22 = 1.589130      ν22 = 61.2
R39 =    ∞         D39 =  1.10      N23 = 1.516330      ν23 = 64.2
R40 =    ∞
*は非球面
非球面係数
R19 ｋ= 7.27547e-01 Ｂ=-1.74498e-03 Ｃ=-4.15999e-05 Ｄ=0.00
Ｅ=0.00 Ｆ=0.00
R26 ｋ=-2.11922e+01 Ｂ= 4.97721e-04 Ｃ= 2.24620e-05 Ｄ=-1.74512e-06
Ｅ=0.00 Ｆ=0.00
＼焦点距離    1.00    4.73     7.64
可変間隔＼
D14           0.29    7.11     8.41
D22           9.03    2.20     0.91
D29           1.81    1.18     2.07
D34           1.31    1.93     1.05
【０１４０】
数値実施例 ６
ｆ＝１〜 5.84  Ｆｎｏ＝ 1.66 〜 2.06  ２ω＝82.5 〜 17.1
R 1 =   39.180      D 1 =  0.94      N 1 = 1.712995      ν 1 = 53.9
R 2 =    8.926      D 2 =  4.31
R 3 = -586.941      D 3 =  0.76      N 2 = 1.719995      ν 2 = 50.2
R 4 =   16.889      D 4 =  1.70
R 5 =   42.969      D 5 =  1.87      N 3 = 1.846660      ν 3 = 23.9
R 6 =  -28.993      D 6 =  4.44
R 7 =   20.532      D 7 =  2.78      N 4 = 1.693501      ν 4 = 53.2
R 8 =  -20.532      D 8 =  0.15
R 9 = 2981.244      D 9 =  0.58      N 5 = 1.846660      ν 5 = 23.9
R10 =    7.932      D10 =  2.64      N 6 = 1.496999      ν 6 = 81.5
R11 = -343.826      D11 =  0.06
R12 =   10.456      D12 =  1.55      N 7 = 1.834000      ν 7 = 37.2
R13 =  134.579      D13 =  可変
R14 =   11.099      D14 =  0.29      N 8 = 1.882997      ν 8 = 40.8
R15 =    2.614      D15 =  1.05
R16 =  -22.875      D16 =  1.20      N 9 = 1.808095      ν 9 = 22.8
R17 =   -3.697      D17 =  0.50      N10 = 1.859600      ν10 = 40.4
R18*=    5.828      D18 =  0.51
R19 =    5.907      D19 =  1.13      N11 = 1.603420      ν11 = 38.0
R20 =   -5.907      D20 =  0.20      N12 = 1.882997      ν12 = 40.8
R21 =  -11.060      D21 =  可変
R22 =    絞り       D22 =  0.98
R23 =   -5.869      D23 =  0.23      N13 = 1.638539      ν13 = 55.4
R24 =    4.135      D24 =  1.14      N14 = 1.683290      ν14 = 31.4
R25*=  -18.230      D25 =  1.84
R26 =   29.742      D26 =  1.61      N15 = 1.548141      ν15 = 45.8
R27 =   -4.311      D27 =  0.29      N16 = 2.003300      ν16 = 28.3
R28 =   -7.073      D28 =  可変
R29 =  149.677      D29 =  0.73      N17 = 1.622992      ν17 = 58.2
R30 =  -11.179      D30 =  0.06
R31 =   11.578      D31 =  0.29      N18 = 1.846660      ν18 = 23.9
R32 =    5.987      D32 =  1.54      N19 = 1.487490      ν19 = 70.2
R33 =  -12.771      D33 =  可変
R34 =   11.426      D34 =  0.85      N20 = 1.487490      ν20 = 70.2
R35 =   -9.059      D35 =  0.26      N21 = 1.647689      ν21 = 33.8
R36 = -104.038      D36 =  1.75
R37 =    ∞         D37 =  5.84      N22 = 1.589130      ν22 = 61.2
R38 =    ∞         D38 =  1.10      N23 = 1.516330      ν23 = 64.2
R39 =    ∞
*は非球面
非球面係数
R18 ｋ= 5.36513e-02 Ｂ=-1.49583e-03 Ｃ=-3.74820e-05 Ｄ= 0.00000e+00
Ｅ= 0.00000e+00 Ｆ= 0.00000e+00
R25 ｋ=-1.04670e+01 Ｂ= 8.10605e-04 Ｃ= 9.09617e-06 Ｄ=-1.95751e-07
Ｅ= 0.00000e+00 Ｆ= 0.00000e+00
＼焦点距離     1.00    3.92     5.84
可変間隔＼
D13           0.29    6.13     7.24
D21           8.44    2.60     1.49
D28           1.83    1.30     1.82
D33           1.14    1.66     1.14
【０１４１】
数値実施例 ７
ｆ＝１〜7.45  Ｆｎｏ＝ 1.66 〜 2.95  ２ω＝82.4 〜 13.4
R 1 =   44.646      D 1 =  0.93      N 1 = 1.712995      ν 1 = 53.9
R 2 =    9.256      D 2 =  4.79
R 3 =  -38.531      D 3 =  0.85      N 2 = 1.719995      ν 2 = 50.2
R 4 =   22.491      D 4 =  1.68
R 5 =   97.614      D 5 =  2.34      N 3 = 1.846660      ν 3 = 23.9
R 6 =  -19.144      D 6 =  4.61
R 7 =   19.465      D 7 =  2.80      N 4 = 1.603112      ν 4 = 60.6
R 8 =  -19.465      D 8 =  0.35
R 9 = -186.277      D 9 =  0.58      N 5 = 1.846660      ν 5 = 23.9
R10 =   10.161      D10 =  0.40
R11 =   13.429      D11 =  1.67      N 6 = 1.487490      ν 6 = 70.2
R12 = -1198.396     D12 =  0.06
R13 =   10.478      D13 =  1.66      N 7 = 1.719995      ν 7 = 50.2
R14 =  527.489      D14 =  可変
R15 =    8.123      D15 =  0.29      N 8 = 1.882997      ν 8 = 40.8
R16 =    2.730      D16 =  1.12
R17 =  -15.211      D17 =  1.20      N 9 = 1.808095      ν 9 = 22.8
R18 =   -4.132      D18 =  0.50      N10 = 1.859600      ν10 = 40.4
R19*=    6.400      D19 =  0.49
R20 =    5.919      D20 =  1.14      N11 = 1.603420      ν11 = 38.0
R21 =   -5.919      D21 =  0.20      N12 = 1.882997      ν12 = 40.8
R22 =  -10.468      D22 =  可変
R23 =    絞り       D23 =  0.99
R24 =   -7.326      D24 =  0.23      N13 = 1.638539      ν13 = 55.4
R25 =    6.214      D25 =  1.14      N14 = 1.683290      ν14 = 31.4
R26*=  -18.567      D26 =  2.34
R27 =  111.556      D27 =  1.61      N15 = 1.548141      ν15 = 45.8
R28 =   -4.520      D28 =  0.29      N16 = 2.003300      ν16 = 28.3
R29 =   -6.535      D29 =  可変
R30 =   45.509      D30 =  0.82      N17 = 1.638539      ν17 = 55.4
R31 =  -12.261      D31 =  0.06
R32 =    8.890      D32 =  0.29      N18 = 1.922860      ν18 = 18.9
R33 =    5.630      D33 =  1.49      N19 = 1.433870      ν19 = 95.1
R34 =  -14.661      D34 =  可変
R35 =    ∞         D35 =  0.85      N20 = 1.487490      ν20 = 70.2
R36 =    ∞         D36 =  0.26      N21 = 1.647689      ν21 = 33.8
R37 =    ∞         D37 =  1.75
R38 =    ∞         D38 =  5.84      N22 = 1.589130      ν22 = 61.2
R39 =    ∞         D39 =  1.10      N23 = 1.516330      ν23 = 64.2
R40 =    ∞
*は非球面
非球面係数
R19 ｋ= 3.19964e-01 Ｂ=-8.14760e-04 Ｃ=3.43387e-05 Ｄ=0.0
Ｅ=0.00 Ｆ=0.00
R26 ｋ=-3.69462e+01 Ｂ= 5.20021e-04 Ｃ=5.10133e-05 Ｄ=-3.02259e-06
Ｅ=0.00 Ｆ=0.00
＼焦点距離    1.00    4.61     7.45
可変間隔＼
D14           0.29    8.60     10.18
D22          10.79    2.49      0.91
D29           0.77    0.31      0.78
D34           0.93    1.39      0.93
【０１４２】
数値実施例 ８
ｆ＝１〜 4.70  Ｆｎｏ＝ 1.66 〜 2.06  ２ω＝82.3 〜 21.1
R 1 =  100.213      D 1 =  0.93      N 1 = 1.712995      ν 1 = 53.9
R 2 =   11.631      D 2 =  4.58
R 3 =  -38.830      D 3 =  0.84      N 2 = 1.719995      ν 2 = 50.2
R 4 =   24.269      D 4 =  2.11
R 5 = -34222.160    D 5 =  2.33      N 3 = 1.846660      ν3 = 23.9
R 6 =  -19.876      D 6 =  5.64
R 7 =   22.370      D 7 =  2.80      N 4 = 1.563839      ν 4 = 60.7
R 8 =  -22.370      D 8 =  0.39
R 9 =   26.314      D 9 =  0.58      N 5 = 1.846660      ν 5 = 23.9
R10 =    8.291      D10 =  2.37      N 6 = 1.518229      ν 6 = 58.9
R11 =   43.630      D11 =  0.06
R12 =    9.495      D12 =  1.60      N 7 = 1.517417      ν 7 = 52.4
R13 =   54.537      D13 =  可変
R14 =    7.817      D14 =  0.29      N 8 = 1.882997      ν 8 = 40.8
R15 =    2.724      D15 =  1.23
R16 =  -12.708      D16 =  1.19      N 9 = 1.808095      ν 9 = 22.8
R17 =   -4.264      D17 =  0.50      N10 = 1.859600      ν10 = 40.4
R18*=    7.038      D18 =  0.47
R19 =    5.999      D19 =  1.14      N11 = 1.603420      ν11 = 38.0
R20 =   -5.999      D20 =  0.20      N12 = 1.882997      ν12 = 40.8
R21 =  -10.274      D21 =  可変
R22 =    絞り       D22 =  1.02
R23 =   -6.566      D23 =  0.23      N13 = 1.638539      ν13 = 55.4
R24 =    9.486      D24 =  1.14      N14 = 1.688931      ν14 = 31.1
R25*=  -17.487      D25 =  2.22
R26 =  158.312      D26 =  1.60      N15 = 1.548141      ν15 = 45.8
R27 =   -4.600      D27 =  0.29      N16 = 2.003300      ν16 = 28.3
R28 =   -6.538      D28 =  可変
R29 =   46.927      D29 =  0.82      N17 = 1.638539      ν17 = 55.4
R30 =  -11.673      D30 =  0.06
R31 =    8.348      D31 =  0.29      N18 = 1.922860      ν18 = 18.9
R32 =    5.556      D32 =  1.49      N19 = 1.433870      ν19 = 95.1
R33 =  -17.557      D33 =  可変
R34 =    ∞         D34 =  0.84      N20 = 1.487490      ν20 = 70.2
R35 =    ∞         D35 =  0.26      N21 = 1.647689      ν21 = 33.8
R36 =    ∞         D36 =  1.75
R37 =    ∞         D37 =  5.83      N22 = 1.589130      ν22 = 61.2
R38 =    ∞         D38 =  1.09      N23 = 1.516330      ν23 = 64.2
R39 =    ∞
*は非球面
非球面係数
R18 ｋ= 6.36477e-02 Ｂ=-5.39706e-04 Ｃ=5.86568e-05 Ｄ= 0.0
Ｅ= 0.00000e+00 Ｆ= 0.00000e+00
R25 ｋ=-4.67145e+01 Ｂ= 1.13187e-04 Ｃ=8.62692e-05 Ｄ=-4.62136e-06
Ｅ= 0.00000e+00 Ｆ=0.00000e+00
＼焦点距離    1.00    3.35     4.70
可変間隔＼
D13           0.29    7.69     9.09
D21          11.29    3.90     2.49
D28           0.75    0.25     0.29
D33           0.78    1.28     1.24
【０１４３】
【表１】
0005372205.tif 000005
【符号の説明】
【０１４４】
ＺＬ    ズームレンズ
ＣＢ    カメラ本体
ＧＡ    保護ガラス
ＧＢ    光学ブロック
Ｃ      マウント部材
Ｌ１    第１レンズ群
Ｌ２    第２レンズ群
Ｌ３    第３レンズ群
Ｌ４    第４レンズ群
ＳＰ    絞り
ＩＰ    像面
Ｇ      ガラスブロック
ｄ      ｄ線
ｇ      ｇ線
ΔＳ    サジタル像面
ΔＭ    メリディオナル像面
Ｆｎｏ  Ｆナンバー
１０    カメラ本体
１１    撮影光学系
１２    撮像素子
１３    記録手段
１４    ファインダー
１５    液晶表示パネル
【図１】
0005372205.tif 000006
【図２】
0005372205.tif 000007
【図３】
0005372205.tif 000008
【図４】
0005372205.tif 000009
【図５】
0005372205.tif 000010
【図６】
0005372205.tif 000011
【図７】
0005372205.tif 000012
【図８】
0005372205.tif 000013
【図９】
0005372205.tif 000014
【図１０】
0005372205.tif 000015
【図１１】
0005372205.tif 000016
【図１２】
0005372205.tif 000017
【図１３】
0005372205.tif 000018
【図１４】
0005372205.tif 000019
【図１５】
0005372205.tif 000020
【図１６】
0005372205.tif 000021
【図１７】
0005372205.tif 000022
【図１８】
0005372205.tif 000023
【図１９】
0005372205.tif 000024
【図２０】
0005372205.tif 000025
【図２１】
0005372205.tif 000026
【図２２】
0005372205.tif 000027
【図２３】
0005372205.tif 000028
【図２４】
0005372205.tif 000029
【図２５】
0005372205.tif 000030
【図２６】
0005372205.tif 000031
【図２７】
0005372205.tif 000032
【図２８】
0005372205.tif 000033
【図２９】
0005372205.tif 000034
【図３０】
0005372205.tif 000035
【図３１】
0005372205.tif 000036
【図３２】
0005372205.tif 000037
【図３３】
0005372205.tif 000038